(57)【要約】【課題】保全作業者が設備メンテナンスアラームを見逃すおそれを抑制する設備保全支援システムの提供。【解決手段】複数の設備機器Ｌ１ａ、Ｌ１ｂが配置された複数の生産ラインＬ１、Ｌ２に配備された設備保全支援システム１００である。設備保全支援システム１００は、複数の設備機器Ｌ１ａ、Ｌ１ｂの稼働情報を収集する情報収集ＰＬＣ２と、情報収集ＰＬＣ２から複数の設備機器Ｌ１ａ、Ｌ１ｂの稼働情報を取得するアンドンコンピュータ３と、アンドンコンピュータ３から設備メンテナンスアラーム指示情報がＷＥＢ配信される保全アンドン表示器４と、複数の生産ライン用アンドン表示器５１、５２と、を備える。アンドンコンピュータ３は、複数の設備機器Ｌ１ａ、Ｌ１ｂの稼働情報に基づいて複数の生産ライン用アンドン表示器５１、５２と、保全アンドン表示器４とに設備メンテナンスアラームを表示させる。【選択図】図１
2020135041.tif 000002
【特許請求の範囲】
【請求項１】
複数の設備機器が配置された複数の生産ラインに配備された設備保全支援システムであって、
前記複数の設備機器の稼働情報を収集する情報収集ＰＬＣと、
前記情報収集ＰＬＣから前記複数の設備機器の稼働情報を取得するアンドンコンピュータと、
前記アンドンコンピュータから設備メンテナンスアラーム指示情報がＷＥＢ配信される保全アンドン表示器と、複数の生産ライン用アンドン表示器と、を備え、
前記複数の生産ライン用アンドン表示器は、前記複数の生産ラインごとに配置されており、
前記アンドンコンピュータは、前記複数の設備機器の稼働情報に基づいて前記複数の設備機器の動作回数を積算して、前記積算した動作回数が前記複数の設備機器ごとに定められた回数を超えた場合、前記複数の生産ライン用アンドン表示器と、前記保全アンドン表示器とに、設備メンテナンスアラームを発し、
前記アンドンコンピュータは、設備メンテナンスが完了した後、前記複数の生産ライン用アンドン表示器と、前記保全アンドン表示器とに、設備メンテナンスアラームを停止させる、
設備保全支援システム。
【発明の詳細な説明】
【技術分野】
【０００１】
本発明は設備保全支援システムに関し、特に、生産設備を対象とした設備保全支援システムに関する。
【背景技術】
【０００２】
設備保全支援システムの一例として、特許文献１に開示の監視システムがある。当該監視システムは、保守作業が前回実施された時点からの産業機械の稼動回数を各保守作業の対応部位ごとに積算する。当該監視システムは、さらに、ある部位について積算された稼動回数が予め設定された回数に達したときに、インターネットを介して、ユーザー工場に保守作業を促す保守情報を送信する。
【先行技術文献】
【特許文献】
【０００３】
【特許文献１】特開２００３−２４８５１１号公報
【発明の概要】
【発明が解決しようとする課題】
【０００４】
本願発明者等は、上記した設備保全支援システムについて、以下の課題を発見した。
【０００５】
上記した設備保全支援システムでは、保全用ＰＣ（パーソナルコンピュータ）が、設備の動作回数を積算し、積算した設備の動作回数が予め設定された動作回数を超えたか否かを判定する。保全用ＰＣが、積算した設備の動作回数が予め設定された動作回数を超えたと判定した場合、当該保全用ＰＣの画面や設備の表示装置に設備メンテナンスを促す設備メンテナンスアラームを出力する。
【０００６】
しかし、保全作業者は、設備メンテナンスアラームを見逃すことが有り、設備を適切にメンテナンスすることができないことが有った。これによって、設備が故障し、停止するおそれがある。
【０００７】
本発明は、保全作業者が設備メンテナンスアラームを見逃すおそれを抑制するものとする。
【課題を解決するための手段】
【０００８】
本発明に係る設備保全支援システムは、
複数の設備機器が配置された複数の生産ラインに配備された設備保全支援システムであって、
前記複数の設備機器の稼働情報を収集する情報収集ＰＬＣと、
前記情報収集ＰＬＣから前記複数の設備機器の稼働情報を取得するアンドンコンピュータと、
前記アンドンコンピュータから設備メンテナンスアラーム指示情報がＷＥＢ配信される保全アンドン表示器と、複数の生産ライン用アンドン表示器と、を備え、
前記複数の生産ライン用アンドン表示器は、前記複数の生産ラインごとに配置されており、
前記アンドンコンピュータは、前記複数の設備機器の稼働情報に基づいて前記複数の設備機器の動作回数を積算して、前記積算した動作回数が前記複数の設備機器ごとに定められた回数を超えた場合、前記複数の生産ライン用アンドン表示器と、前記保全アンドン表示器とに、設備メンテナンスアラームを発し、
前記アンドンコンピュータは、設備メンテナンスが完了した後、前記複数の生産ライン用アンドン表示器と、前記保全アンドン表示器とに、設備メンテナンスアラームを停止させる。
【０００９】
このような構成によれば、設備メンテナンスアラームを複数の生産ライン用アンドン表示器と保全アンドン表示器とに表示させる。そのため、複数の生産ライン用アンドン表示器と保全アンドン表示器との周辺にいる者が設備メンテナンスアラームを認識することができ、保全作業者が設備メンテナンスアラームを見逃すおそれを抑制することができる。また、設備動作回数を正確に把握することができ、メンテナンスの適切なタイミングを知ることができる。
【発明の効果】
【００１０】
本発明は、保全作業者が設備メンテナンスアラームを見逃すおそれを抑制することができる。
【図面の簡単な説明】
【００１１】
【図１】実施の形態１に係る設備保全支援システムの構成を示す概略図である。
【図２】アンドンコンピュータのシステム構成を示す制御ブロック図である。
【発明を実施するための形態】
【００１２】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１３】
（実施の形態１）
図１を参照して実施の形態１について説明する。図１は、実施の形態１に係る設備保全支援システムの構成を示す概略図である。図２は、アンドンコンピュータのシステム構成を示す制御ブロック図である。
【００１４】
図１に示すように、設備保全支援システム１００は、２本の生産ラインＬ１、Ｌ２に配備されている。
【００１５】
生産ラインＬ１は、３つの設備機器Ｌ１ａ、Ｌ１ｂ、Ｌ１ｃを備え、設備機器Ｌ１ａ、Ｌ１ｂ、Ｌ１ｃは、生産ラインＬ１においてこの順に並ぶ。設備機器Ｌ１ａ、Ｌ１ｂ、Ｌ１ｃは、それぞれ、生産ラインＬ１の各工程を実施することができる。設備機器Ｌ１ａ、Ｌ１ｂ、Ｌ１ｃは、保全作業者から入力を受けて、メンテナンスの完了を示すメンテナンス完了情報を情報収集ＰＬＣ２に出力する構成を備えてもよい。
【００１６】
同様に、生産ラインＬ２は、２つの設備機器Ｌ２ａ、Ｌ２ｂを備え、設備機器Ｌ２ａ、Ｌ２ｂは、生産ラインＬ２においてこの順に並ぶ。設備機器Ｌ２ａ、Ｌ２ｂは、それぞれ、生産ラインＬ２の各工程を実施することができる。設備機器Ｌ２ａ、Ｌ２ｂは、保全作業者から入力を受けて、メンテナンスの完了を示すメンテナンス完了情報を情報収集ＰＬＣ２に出力する構成を備えてもよい。
【００１７】
設備保全支援システム１００は、情報収集ＰＬＣ２と、アンドンコンピュータ３と、保全アンドン表示器４と、生産ライン用アンドン表示器５１、５２とを備える。設備保全支援システム１００は、さらに保全用ＰＣ６を備えてもよい。
【００１８】
情報収集ＰＬＣ２は、ハブ装置Ｈ１を介して、設備機器Ｌ１ａ、Ｌ１ｂ、Ｌ１ｃと接続されている。情報収集ＰＬＣ２は、設備機器Ｌ１ａ、Ｌ１ｂ、Ｌ１ｃの稼働情報を収集する。稼働情報は、設備機器Ｌ１ａ、Ｌ１ｂ、Ｌ１ｃの稼働、停止、生産数等に関するものであり、具体的には、設備機器Ｌ１ａ、Ｌ１ｂ、Ｌ１ｃの各動作回数を少なくとも含む。また、稼働情報は、設備機器Ｌ１ａ、Ｌ１ｂ、Ｌ１ｃの異常、不具合の有無を示す情報を含んでもよい。さらに、稼働情報は、設備機器Ｌ１ａ、Ｌ１ｂ、Ｌ１ｃのメンテナンス完了情報を含んでもよい。
【００１９】
同様に、情報収集ＰＬＣ２は、ハブ装置Ｈ２を介して、設備機器Ｌ２ａ、Ｌ２ｂと接続されている。情報収集ＰＬＣ２は、設備機器Ｌ２ａ、Ｌ２ｂの稼働情報を収集する。稼働情報は、設備機器Ｌ２ａ、Ｌ２ｂの稼働、停止、生産数等に関するものであり、具体的には、設備機器Ｌ２ａ、Ｌ２ｂの各動作回数を少なくとも含む。また、稼働情報は、設備機器Ｌ２ａ、Ｌ２ｂの異常や不具合の有無を示す情報を含んでもよい。さらに、稼働情報は、設備機器Ｌ２ａ、Ｌ２ｂのメンテナンス完了情報を含んでもよい。
【００２０】
アンドンコンピュータ３は、ハードウェア構成として、例えば、エッジコンピュータを利用することができる。アンドンコンピュータ３は、ハードウェア構成として、制御装置、中央処理演算装置、各種プログラムを記憶した記憶媒体、ユーザーが入出力可能なインターフェイス等を備えるとよい。さらに、アンドンコンピュータ３は、他の認証システム等の構成と情報を送受信する送受信デバイスを備えてもよい。
【００２１】
図２に示すように、アンドンコンピュータ３は、ソフトウェア構成として、制御部３０と、記憶部３６とを備える。制御部３０は、稼働情報取得部３１と、動作回数算出部３２と、アラーム開始判定部３３と、アラーム停止判定部３４とを備える。アンドンコンピュータ３の制御装置、中央処理演算装置が、プログラムを読み込み実行することによって、稼働情報取得部３１と、動作回数算出部３２と、アラーム開始判定部３３と、アラーム停止判定部３４と、アラーム制御部３５として機能する。記憶媒体が記憶部３６として機能する。
【００２２】
稼働情報取得部３１は、情報収集ＰＬＣ２から複数の設備機器Ｌ１ａ、Ｌ１ｂ、Ｌ１ｃ、Ｌ２ａ、Ｌ２ｂの稼働情報を取得する。記憶部３６は、複数の設備機器Ｌ１ａ、Ｌ１ｂ、Ｌ１ｃ、Ｌ２ａ、Ｌ２ｂの稼働情報を記憶する。
【００２３】
動作回数算出部３２は、複数の設備機器Ｌ１ａ、Ｌ１ｂ、Ｌ１ｃ、Ｌ２ａ、Ｌ２ｂの稼働情報に基づいて、複数の設備機器Ｌ１ａ、Ｌ１ｂ、Ｌ１ｃ、Ｌ２ａ、Ｌ２ｂの動作回数を積算する。動作回数算出部３２は、時々刻々と、複数の設備機器Ｌ１ａ、Ｌ１ｂ、Ｌ１ｃ、Ｌ２ａ、Ｌ２ｂの動作回数を示す動作回数情報を生成する。
【００２４】
アラーム開始判定部３３は、動作回数算出部３２が生成した動作回数情報に基づいて、複数の設備機器Ｌ１ａ、Ｌ１ｂ、Ｌ１ｃ、Ｌ２ａ、Ｌ２ｂの動作回数が、各設備機器について定められた回数を超えたか否かを判定する。
【００２５】
アラーム開始判定部３３が、複数の設備機器Ｌ１ａ、Ｌ１ｂ、Ｌ１ｃ、Ｌ２ａ、Ｌ２ｂのうち、いずれかの動作回数が、各設備機器について定められた回数を超えたと判定した場合、アラーム制御部３５が、設備メンテナンスアラーム指示情報を複数の生産ライン用アンドン表示器５１、５２と、保全アンドン表示器４とに有線通信又は無線通信を用いてＷＥＢ配信によって配信する。続いて、アラーム制御部３５は、設備メンテナンスアラーム指示情報に基づいて、設備メンテナンスアラームを複数の生産ライン用アンドン表示器５１、５２と、保全アンドン表示器４とに表示させる。設備メンテナンスアラームは、設備機器Ｌ１ａ、Ｌ１ｂ、Ｌ１ｃ、Ｌ２ａ、Ｌ２ｂについて機器交換や給油を指示する内容である。その後、複数の生産ライン用アンドン表示器５１、５２と、保全アンドン表示器４とが、設備メンテナンスアラームを表示し続ける。
【００２６】
アラーム停止判定部３４は、時々刻々と、設備メンテナンスが完了したか否かを判定する。アラーム停止判定部３４は、設備メンテナンスが完了したと判定した場合、アラーム制御部３５が、複数の生産ライン用アンドン表示器５１、５２と、保全アンドン表示器４とに、設備メンテナンスアラームを停止させる。
【００２７】
保全アンドン表示器４は、設備機器Ｌ１ａ、Ｌ１ｂ、Ｌ１ｃ、Ｌ２ａ、Ｌ２ｂの保全情報を示す。また、保全アンドン表示器４は、設備機器Ｌ１ａ、Ｌ１ｂ、Ｌ１ｃ、Ｌ２ａ、Ｌ２ｂの稼働、停止等の稼働や保全についての情報を示すことができる。保全アンドン表示器４は、生産ラインＬ１、Ｌ２に関する保全作業者が視認しやすい場所に配置されている。
【００２８】
生産ライン用アンドン表示器５１、５２は、所定のパターン、例えば、マトリックス状に配列した複数の表示灯を備える。当該複数の表示灯は、所定のパターンで点灯して、生産ラインＬ１、Ｌ２の各工程の稼働状況を、生産ラインＬ１、Ｌ２に関する作業者に伝える。生産ライン用アンドン表示器５１、５２は、生産ラインＬ１、Ｌ２の近傍において、生産ラインＬ１、Ｌ２に関する作業者が視認しやすい場所に配置されている。
【００２９】
保全用ＰＣ６は、設備機器Ｌ１ａ、Ｌ１ｂ、Ｌ１ｃ、Ｌ２ａ、Ｌ２ｂに接続されており、設備機器Ｌ１ａ、Ｌ１ｂ、Ｌ１ｃ、Ｌ２ａ、Ｌ２ｂの稼働情報を取得する。保全用ＰＣ６は、アンドンコンピュータ３に接続されていてもよく、アンドンコンピュータ３から設備メンテナンス指示情報を取得し、設備メンテナンスアラームを表示してもよい。
【００３０】
（動作）
ここで、設備保全支援システム１００の動作について説明する。
生産ラインＬ１、Ｌ２において、複数の設備機器Ｌ１ａ、Ｌ１ｂ、Ｌ１ｃ、Ｌ２ａ、Ｌ２ｂはそれぞれ稼働している。情報収集ＰＬＣ２は、時々刻々と、複数の設備機器Ｌ１ａ、Ｌ１ｂ、Ｌ１ｃ、Ｌ２ａ、Ｌ２ｂの稼働情報を収集している。アンドンコンピュータ３は、時々刻々と、情報収集ＰＬＣ２から複数の設備機器Ｌ１ａ、Ｌ１ｂ、Ｌ１ｃ、Ｌ２ａ、Ｌ２ｂの稼働情報を取得する。
【００３１】
アンドンコンピュータ３は、複数の設備機器Ｌ１ａ、Ｌ１ｂ、Ｌ１ｃ、Ｌ２ａ、Ｌ２ｂの稼働情報に基づいて複数の設備機器Ｌ１ａ、Ｌ１ｂ、Ｌ１ｃ、Ｌ２ａ、Ｌ２ｂの動作回数を積算する。アンドンコンピュータ３は、積算した動作回数が複数の設備機器Ｌ１ａ、Ｌ１ｂ、Ｌ１ｃ、Ｌ２ａ、Ｌ２ｂごとに定められた回数を超えた場合、複数の生産ライン用アンドン表示器５１、５２と、保全アンドン表示器４とに、設備メンテナンスアラーム指示情報をＷＥＢ配信する。複数の生産ライン用アンドン表示器５１、５２と、保全アンドン表示器４とが、設備メンテナンスアラームを表示する。複数の生産ライン用アンドン表示器５１、５２と、保全アンドン表示器４との設備メンテナンスアラームの表示は、継続する。
【００３２】
続いて、アンドンコンピュータ３は、設備メンテナンスが完了した後、設備メンテナンス完了情報を取得する。アンドンコンピュータ３は、設備メンテナンス完了情報に基づいて、複数の生産ライン用アンドン表示器５１、５２と、保全アンドン表示器４とに、設備メンテナンスアラームを停止させる。
【００３３】
以上より、設備メンテナンスアラームを複数の生産ライン用アンドン表示器５１、５２と保全アンドン表示器４とに表示させる。そのため、保全作業者と、複数の生産ライン用アンドン表示器５１、５２と保全アンドン表示器４との周辺にいる者との複数人が設備メンテナンスアラームを認識することができる。したがって、保全作業者が設備メンテナンスアラームを見逃すおそれを抑制することができる。また、設備動作回数を正確に把握することができ、メンテナンスの適切なタイミングを知ることができる。しかも、複数の生産ライン用アンドン表示器５１、５２と保全アンドン表示器４とは、メンテナンスが完了する時点まで、設備メンテナンスアラームを表示し続ける。そのため、保全作業者が設備メンテナンスアラームを見逃すおそれを抑制することができる。
【００３４】
さらに、保全用ＰＣ６に設備メンテナンスアラームを表示させてもよい。保全作業者等、保全用ＰＣ６の周辺にいる者が設備メンテナンスアラームを認識することができる。したがって、保全作業者が設備メンテナンスアラームを見逃すおそれをより確実に抑制することができる。
【００３５】
なお、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３６】
なお、本発明は上記実施の形態に限られたものではなく、趣旨を逸脱しない範囲で適宜変更することが可能である。例えば、設備保全支援システム１００が適用されたアンドンシステムは、２つの生産ラインＬ１、Ｌ２を備えたが、３つ以上の生産ラインを備えてもよい。生産ラインＬ１は、３つの設備機器Ｌ１ａ、Ｌ１ｂ、Ｌ１ｃを備えたが、２つ、又は４つ以上の設備機器を備えてもよい。生産ラインＬ２は、２つの設備機器Ｌ２ａ、Ｌ２ｂを備えたが、３つ以上の設備機器を備えてもよい。
【符号の説明】
【００３７】
１００  設備保全支援システム
２  情報収集ＰＬＣ
３  アンドンコンピュータ  
３０  制御部
３１  稼働情報取得部                      ３２  動作回数算出部
３３  アラーム開始判定部                  ３４  アラーム停止判定部
３５  アラーム制御部
３６  記憶部
４  保全アンドン表示器                    ５１、５２  生産ライン用アンドン表示器
Ｌ１、Ｌ２  生産ライン
Ｌ１ａ、Ｌ１ｂ、Ｌ１ｃ、Ｌ２ａ、Ｌ２ｂ  設備機器
【図１】
2020135041.tif 000003
【図２】
2020135041.tif 000004